【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
第１の波長の光を照射する第１の照射部と、
前記第１の波長とは異なる第２の波長の光を照射する第２の照射部と
を有する照射ユニットと、
前記第１の波長の光が照射されている物体からの反射光を受光したことに応じて、第１の検出用信号を生成し、
前記第２の波長の光が照射されている前記物体からの反射光を受光したことに応じて、第２の検出用信号を生成する
受光部と、
前記第１及び第２の検出用信号に基づいて、前記物体が肌であるか否かを検出する肌検出部と、
前記第１又は第２の検出用信号の少なくとも一方に基づいて、肌として検出された前記物体の位置又は動きの少なくとも一方を認識するための認識情報を生成する生成部と
を含む情報処理装置。
【請求項２】
前記受光部と同様に構成された他の受光部をさらに含み、
前記生成部は、複数の前記受光部毎に生成された前記第１又は第２の検出用信号の少なくとも一方に基づいて、前記認識情報を生成する
請求項１に記載の情報処理装置。
【請求項３】
前記第１の照射部は、複数の前記受光部のそれぞれから同一の距離に配置されており、
前記生成部は、前記複数の受光部毎に生成された前記第１の検出用信号に基づいて、前記認識情報を生成する
請求項２に記載の情報処理装置。
【請求項４】
前記受光部は、前記第１の照射部と前記第２の照射部から、それぞれ同一の距離に配置されており、
前記肌検出部は、前記受光部により生成された前記第１及び第２の検出用信号に基づいて、前記物体が肌であるか否かを検出する
請求項２に記載の情報処理装置。
【請求項５】
前記照射ユニットと同様に構成された他の照射ユニットをさらに含み、
前記受光部は、
異なるタイミングで前記第１の波長の光を照射する前記照射ユニット毎に、前記第１の検出用信号を生成し、
異なるタイミングで前記第２の波長の光を照射する前記照射ユニット毎に、前記第２の検出用信号を生成し、
前記生成部は、前記照射ユニット毎に生成された前記第１又は第２の検出用信号の少なくとも一方に基づいて、前記認識情報を生成する
請求項１に記載の情報処理装置。
【請求項６】
前記生成部は、第１の方向における前記第１の照射部どうしの間隔が、前記第２の照射部どうしの間隔よりも長い場合、前記受光部により、前記複数の照射ユニット毎に生成された前記第１の検出用信号に基づいて、前記第１の方向に垂直な第２の方向における前記物体の位置又は動きの少なくとも一方を認識するための前記認識情報を生成する
請求項５に記載の情報処理装置。
【請求項７】
前記照射ユニットと前記受光部とを有する複数のセンサであって、前記センサ毎に異なる照射範囲を照射する前記照射ユニットを有する前記センサをさらに含み、
前記肌検出部は、前記複数のセンサ毎に生成される前記第１及び第２の検出用信号に基づいて、前記物体が肌であるか否かを検出し、
前記生成部は、前記複数のセンサ毎に生成される前記第１又は第２の検出用信号の少なくとも一方に基づいて、前記認識情報を生成する
請求項１に記載の情報処理装置。
【請求項８】
前記第１の検出用信号に基づいて、前記物体が予め決められた検知範囲内に侵入したか否かを検出する近接検出部をさらに含み、
前記肌検出部は、前記物体が前記検知範囲内に侵入したと検出されたことに対応して、前記第１及び第２の検出用信号に基づいて、前記物体が肌であるか否かを検出する
請求項１乃至７のいずれかに記載の情報処理装置。
【請求項９】
前記物体が肌であることが検出されたことに対応して、前記第１の検出用信号に基づき、前記物体が予め決められた検知範囲内に存在するか否かを検出する物体検出部をさらに含み、
前記情報処理装置では、前記物体が前記検知範囲内に存在すると検出された場合、前記物体が肌であるものとして取り扱う
請求項１乃至８のいずれかに記載の情報処理装置。
【請求項１０】
前記物体の位置に応じた大きさの出力信号を生成する信号生成部をさらに含み、
前記生成部は、前記出力信号にも基づいて、前記認識情報を生成する
請求項１乃至９のいずれかに記載の情報処理装置。
【請求項１１】
前記第１の波長λ１、及び前記第１の波長λ１よりも長波長である前記第２の波長λ２は、
640nm ≦ λ１ ≦ 1000nm
900nm ≦ λ２ ≦ 1100nm
を満たす請求項１乃至１０のいずれかに記載の情報処理装置。
【請求項１２】
前記第１の照射部は、前記第１の波長λ１の不可視光を照射し、
前記第２の照射部は、前記第２の波長λ２の不可視光を照射する
請求項１１に記載の情報処理装置。
【請求項１３】
前記受光部には、前記受光部に入射される可視光を遮断する可視光カットフィルタが設けられている
請求項１乃至９のいずれかに記載の情報処理装置。
【請求項１４】
第１の波長の光を照射する第１の照射部と、
前記第１の波長とは異なる第２の波長の光を照射する第２の照射部と
を有する照射ユニットと、
前記第１の波長の光が照射されている物体からの反射光を受光したことに応じて、第１の検出用信号を生成し、
前記第２の波長の光が照射されている前記物体からの反射光を受光したことに応じて、第２の検出用信号を生成する
受光部と
を含む情報処理装置の情報処理方法において、
前記情報処理装置による、
前記第１及び第２の検出用信号に基づいて、前記物体が肌であるか否かを検出する肌検出ステップと、
前記第１又は第２の検出用信号の少なくとも一方に基づいて、肌として検出された前記物体の位置又は動きの少なくとも一方を認識するための認識情報を生成する生成ステップと
を含む情報処理方法。
【請求項１５】
第１の波長の光を照射する第１の照射部と、
前記第１の波長とは異なる第２の波長の光を照射する第２の照射部と
を有する照射ユニットと、
前記第１の波長の光が照射されている物体からの反射光を受光したことに応じて、第１の検出用信号を生成し、
前記第２の波長の光が照射されている前記物体からの反射光を受光したことに応じて、第２の検出用信号を生成する
受光部と
を含む情報処理装置のコンピュータを、
前記第１及び第２の検出用信号に基づいて、前記物体が肌であるか否かを検出する肌検出部と、
前記第１又は第２の検出用信号の少なくとも一方に基づいて、肌として検出された前記物体の位置又は動きの少なくとも一方を認識するための認識情報を生成する生成部と
して機能させるためのプログラム。
【請求項１６】
第１の波長の光を照射する第１の照射部と、
前記第１の波長とは異なる第２の波長の光を照射する第２の照射部と
を有する照射ユニットと、
前記第１の波長の光が照射されている物体からの反射光を受光したことに応じて、第１の検出用信号を生成し、
前記第２の波長の光が照射されている前記物体からの反射光を受光したことに応じて、第２の検出用信号を生成する
受光部と、
前記第１及び第２の検出用信号に基づいて、前記物体が肌であるか否かを検出する肌検出部と、
前記第１又は第２の検出用信号の少なくとも一方に基づいて、肌として検出された前記物体の位置又は動きの少なくとも一方を認識するための認識情報を生成する生成部と、
前記認識情報に基づく認識結果に応じて、対応する処理を行う処理部と
を含む電子機器。
【手続補正２】
【補正対象書類名】明細書
【補正対象項目名】０２０７
【補正方法】変更
【補正の内容】
【０２０７】
さらに、処理部９１は、ステップＳ５で生成した肌検出信号をジェスチャ認識情報として採用することができる。また、処理部９１は、注目センサ２１nからAD変換部９５nを介して供給された輝度信号Vλ2に基づいて、輝度信号Vλ1の場合と同様に、ジェスチャ認識情報を生成するようにしてもよい。
【手続補正３】
【補正対象書類名】明細書
【補正対象項目名】０５１８
【補正方法】削除
【補正の内容】